(57)【要約】【課題】それぞれの作業工程を容易に正確に行うことができる植物の根系採取方法及び植物の根系採取装置を提供すること。【解決手段】植物体を栽培した根箱１０を設置する作業台４０を備え、作業台４０には、根箱１０の載置位置を規制する根箱固定用ガイド４１と、ピンボード２０の載置位置を規制するガイド棒４２とを形成し、ピンボード２０には、ガイド棒４２に対応するピンボードガイド孔２３を形成したことを特徴とする。【選択図】図１
2018042574.tif 000002
【特許請求の範囲】
【請求項１】
土壌を用いて植物体を栽培する根箱と、多数の針を一方の面に有するピンボードとを用いて前記植物体の根の形態と分布を評価する根系採取方法に用いる植物の根系採取装置であって、
前記植物体を栽培した前記根箱を設置する作業台を備え、
前記作業台には、
前記根箱の載置位置を規制する根箱固定用ガイドと、
前記ピンボードの載置位置を規制するガイド棒とを形成し、
前記ピンボードには、前記ガイド棒に対応するピンボードガイド孔を形成した
ことを特徴とする植物の根系採取装置。
【請求項２】
透明シートを前記ピンボードに装着するシート押さえ込み板を備え、
前記シート押さえ込み板には、
前記透明シートを前記針の根本まで押圧する押圧部と、
前記ガイド棒に対応する押さえ込み板ガイド孔とを形成した
ことを特徴とする請求項１に記載の植物の根系採取装置。
【請求項３】
前記ピンボードに敷設するメッシュ枠と、
前記メッシュ枠を敷設した状態で前記ピンボードに装着する一方の透明シートと、
一方の前記透明シート上に、前記根を載置した状態で前記ピンボードに装着する他方の透明シートと、
前記根を２枚の前記透明シートの間に挟み込んだ状態で、前記メッシュ枠を前記ピンボードから押し出すことで、前記根を挟み込んだ２枚の前記透明シートを前記ピンボードから脱離させる脱離用押し出し金具と
を備え、
前記脱離用押し出し金具には、前記メッシュ枠を押圧する複数の凸部を形成し、
前記ピンボードには、前記凸部が通過する開口部を形成した
ことを特徴とする請求項１に記載の植物の根系採取装置。
【請求項４】
前記透明シートを装着した前記ピンボードと前記根箱とを固定するサポート金具を備え、
前記作業台には、前記根箱を設置した状態で、前記根箱が露出する切り込み部を形成し、
前記切り込み部の位置で、前記サポート金具を前記根箱に装着する
ことを特徴とする請求項２に記載の植物の根系採取装置。
【請求項５】
孔を形成していない前記透明シートを用い、
前記ピンボードへの装着によって前記透明シートに孔が形成される
ことを特徴とする請求項２から請求項４のいずれかに記載の植物の根系採取装置。
【請求項６】
土壌を用いて植物体を栽培する根箱と、多数の針を一方の面に有するピンボードとを用いて前記植物体の根の形態と分布を評価する植物の根系採取方法において、
作業台に前記針を上方として前記ピンボードを設置するピンボード設置工程と、
前記ピンボード設置工程の後に、前記ピンボードの一方の前記面にメッシュ枠を敷設するメッシュ枠敷設工程と、
前記メッシュ枠敷設工程の後に、一方の透明シートを前記針の上部に載置する第１透明シート載置工程と、
前記第１透明シート載置工程の後に、シート押さえ込み板によって一方の前記透明シートを前記針の根本まで押さえ込む第１透明シート装着工程と、
前記第１透明シート装着工程の後に、前記ピンボードを、前記メッシュ枠及び一方の前記透明シートとともに前記作業台から取り外すピンボード取り外し工程と
を備えた
ことを特徴とする植物の根系採取方法。
【請求項７】
前記ピンボード取り外し工程の後に、前記植物体を栽培した前記根箱を前記作業台に設置する根箱設置工程と、
前記根箱から蓋体を取り外す蓋体取り外し工程と、
前記根箱設置工程及び前記蓋体取り外し工程の後に、一方の前記透明シートを装着した前記ピンボードの前記針を根箱本体中の前記土壌に差し込むピンボード押し込み工程と、
前記ピンボード押し込み工程の後に、前記根箱本体と前記ピンボードとをサポート金具で挟み込んで固定する固定工程と、
前記固定工程の後に、前記根箱本体と前記ピンボードとを洗浄台まで移動する移動工程と、
前記洗浄台に移動した後に、前記ピンボード上に前記植物体の前記根を前記土壌とともに載置した状態で前記サポート金具と前記根箱本体とを取り外す根箱本体除去工程と、
前記根箱本体除去工程の後に、前記ピンボード上から前記土壌を除去する洗浄工程と
を備えた
ことを特徴とする請求項６に記載の植物の根系採取方法。
【請求項８】
前記洗浄工程の後に、前記作業台に前記針を上方として前記ピンボードを設置し、他方の透明シートを前記針の前記上部に載置する第２透明シート載置工程と、
前記第２透明シート載置工程の後に、前記シート押さえ込み板によって他方の前記透明シートを前記針の根本まで押さえ込む第２透明シート装着工程と、
前記第２透明シート装着工程の後に、前記ピンボードを、前記メッシュ枠及び２枚の前記透明シートとともに前記作業台から取り外す透明シート移動工程と
前記透明シート移動工程の後に、前記根を２枚の前記透明シートの間に挟み込んだ状態で、脱離用押し出し金具によって前記メッシュ枠を前記ピンボードから押し出すことで、前記根を挟み込んだ２枚の前記透明シートを前記ピンボードから脱離させる透明シート押し出し工程と
を備えた
ことを特徴とする請求項７に記載の植物の根系採取方法。
【発明の詳細な説明】
【技術分野】
【０００１】
本発明は、植物の根系採取装置及び植物の根系採取方法に関する。
【背景技術】
【０００２】
植物体の根系の形態と分布を見る手法として、根箱・ピンボード法と呼ばれる手法がある（非特許文献１）。
図２４は、根箱・ピンボード法に用いられている、根箱、ピンボード、及び透明シートを示す写真である。
図２４（ａ）は、根箱１０であり、蓋体１１を根箱本体１２から取り外した状態を示している。
図２４（ｂ）は、ピンボード２０であり、ベニア等の板２１の縦４０ｃｍ横２４ｃｍの範囲に約１ｃｍ間隔で約１０００本の針２２を打ち抜いている。
図２４（ｃ）は、ポリエチレンシートなどの透明シート３０であり、ピンボード２０の針２２に対応した孔３１を形成している。
【０００３】
図２５は、植物体を栽培中の根箱を示す写真である。
根箱１０は、幅の狭いアクリル製の栽培容器で、蓋体１１を取り付けた状態では、一つの側面が開放されており、土壌を入れて植物体を栽培する。
非特許文献１で開示されている根箱・ピンボード法は、植物体を栽培した根箱１０から蓋体１１を取り外し、一方の透明シート３０を装着したピンボード２０の針２２を根箱本体１２中の土壌に差し込み、ピンボード２０上に植物体の根を土壌とともに載置した状態で根箱本体１２を取り外し、ピンボード２０上から土壌を除去した後に、他方の透明シート３０をピンボード２０上に装着することで、根を、２枚の透明シート３０の間に挟み込み、２枚の透明シート３０の間に根を挟み込んだ状態でピンボード２０を除去することで、根の形態と分布を評価する根系採取方法である。根箱・ピンボード法は、多くの研究機関や大学で利用されており、様々な論文でも活用されている。
なお、特許文献１の従来技術には、透明な根箱を用いた植物の根の観察について記載されている。
【先行技術文献】
【特許文献】
【０００４】
【特許文献１】特開平６−１２５６５４号公報
【非特許文献】
【０００５】
【非特許文献１】Kono et al.（1987）A revised experimental system of root-soil interaction for laboratory work. Environ. Control in Biol. 25（4）.141-151.
【発明の概要】
【発明が解決しようとする課題】
【０００６】
しかし、ピンボード２０を根箱１０へかぶせる際、正確なセッティング（針位置の把握）が難しく、実験結果が異なる可能性があった。すなわち、目測によるセッティングのため、約１０００ 本の針２２が付いたピンボード２０をサンプル間で全く位置を変えずに根箱１０に押し挿すことは困難で、サンプル間で位置が異なることにより解析に支障が生じる。
また、透明シート３０に孔３１をあける作業には大変な労力を要し、１サンプル当たり２枚の透明シート３０が必要で、１枚の透明シート３０には約１０００つの孔が必要であるため、サンプル数が増やせず、実験に制約が生じていた。
また、約１０００本にも及ぶ針２２等に挿された透明シート３０を、根系形状を崩すことなく脱離させるのは困難である。
また、土壌を洗い流すには、水を扱いやすく傾斜を保持しやすい流し台等が最適な洗浄作業場となるが、排水溝への土壌堆積が著しく、また屋外等ではピンボード２０の設置に苦慮する。
【０００７】
そこで本発明は、それぞれの作業工程を容易に正確に行うことができる植物の根系採取装置及び植物の根系採取方法を提供することを目的とする。
【課題を解決するための手段】
【０００８】
請求項１記載の本発明の植物の根系採取装置は、土壌を用いて植物体を栽培する根箱と、多数の針を一方の面に有するピンボードとを用いて前記植物体の根の形態と分布を評価する根系採取方法に用いる植物の根系採取装置であって、前記植物体を栽培した前記根箱を設置する作業台を備え、前記作業台には、前記根箱の載置位置を規制する根箱固定用ガイドと、前記ピンボードの載置位置を規制するガイド棒とを形成し、前記ピンボードには、前記ガイド棒に対応するピンボードガイド孔を形成したことを特徴とする。
請求項２記載の本発明は、請求項１に記載の植物の根系採取装置において、透明シートを前記ピンボードに装着するシート押さえ込み板を備え、前記シート押さえ込み板には、前記透明シートを前記針の根本まで押圧する押圧部と、前記ガイド棒に対応する押さえ込み板ガイド孔とを形成したことを特徴とする。
請求項３記載の本発明は、請求項１に記載の植物の根系採取装置において、前記ピンボードに敷設するメッシュ枠と、前記メッシュ枠を敷設した状態で前記ピンボードに装着する一方の透明シートと、一方の前記透明シート上に、前記根を載置した状態で前記ピンボードに装着する他方の透明シートと、前記根を２枚の前記透明シートの間に挟み込んだ状態で、前記メッシュ枠を前記ピンボードから押し出すことで、前記根を挟み込んだ２枚の前記透明シートを前記ピンボードから脱離させる脱離用押し出し金具とを備え、前記脱離用押し出し金具には、前記メッシュ枠を押圧する複数の凸部を形成し、前記ピンボードには、前記凸部が通過する開口部を形成したことを特徴とする。
請求項４記載の本発明は、請求項２に記載の植物の根系採取装置において、の前記透明シートを装着した前記ピンボードと前記根箱とを固定するサポート金具を備え、前記作業台には、前記根箱を設置した状態で、前記根箱が露出する切り込み部を形成し、前記切り込み部の位置で、前記サポート金具を前記根箱に装着することを特徴とする。
請求項５記載の本発明は、請求項２から請求項４のいずれかに記載の植物の根系採取装置において、孔を形成していない前記透明シートを用い、前記ピンボードへの装着によって前記透明シートに孔が形成されることを特徴とする。
請求項６記載の本発明の植物の根系採取方法は、土壌を用いて植物体を栽培する根箱と、多数の針を一方の面に有するピンボードとを用いて前記植物体の根の形態と分布を評価する植物の根系採取方法において、作業台に前記針を上方として前記ピンボードを設置するピンボード設置工程と、前記ピンボード設置工程の後に、前記ピンボードの一方の前記面にメッシュ枠を敷設するメッシュ枠敷設工程と、前記メッシュ枠敷設工程の後に、一方の透明シートを前記針の上部に載置する第１透明シート載置工程と、前記第１透明シート載置工程の後に、シート押さえ込み板によって一方の前記透明シートを前記針の根本まで押さえ込む第１透明シート装着工程と、前記第１透明シート装着工程の後に、前記ピンボードを、前記メッシュ枠及び一方の前記透明シートとともに前記作業台から取り外すピンボード取り外し工程とを備えたことを特徴とする。
請求項７記載の本発明は、請求項６に記載の植物の根系採取方法において、前記ピンボード取り外し工程の後に、前記植物体を栽培した前記根箱を前記作業台に設置する根箱設置工程と、前記根箱から蓋体を取り外す蓋体取り外し工程と、前記根箱設置工程及び前記蓋体取り外し工程の後に、一方の前記透明シートを装着した前記ピンボードの前記針を根箱本体中の前記土壌に差し込むピンボード押し込み工程と、前記ピンボード押し込み工程の後に、前記根箱本体と前記ピンボードとをサポート金具で挟み込んで固定する固定工程と、前記固定工程の後に、前記根箱本体と前記ピンボードとを洗浄台まで移動する移動工程と、前記洗浄台に移動した後に、前記ピンボード上に前記植物体の前記根を前記土壌とともに載置した状態で前記サポート金具と前記根箱本体とを取り外す根箱本体除去工程と、前記根箱本体除去工程の後に、前記ピンボード上から前記土壌を除去する洗浄工程とを備えたことを特徴とする。
請求項８記載の本発明は、請求項７に記載の植物の根系採取方法において、前記洗浄工程の後に、前記作業台に前記針を上方として前記ピンボードを設置し、他方の透明シートを前記針の前記上部に載置する第２透明シート載置工程と、前記第２透明シート載置工程の後に、前記シート押さえ込み板によって他方の前記透明シートを前記針の根本まで押さえ込む第２透明シート装着工程と、前記第２透明シート装着工程の後に、前記ピンボードを、前記メッシュ枠及び２枚の前記透明シートとともに前記作業台から取り外す透明シート移動工程と前記透明シート移動工程の後に、前記根を２枚の前記透明シートの間に挟み込んだ状態で、脱離用押し出し金具によって前記メッシュ枠を前記ピンボードから押し出すことで、前記根を挟み込んだ２枚の前記透明シートを前記ピンボードから脱離させる透明シート押し出し工程とを備えたことを特徴とする。
【発明の効果】
【０００９】
本発明によれば、根箱を設置する作業台に、根箱固定用ガイドとガイド棒とを形成しているため、根箱にピンボードの針を差し込む際に、正確なセッティングを容易に行え、サンプル間でのばらつきを無くすことができる。
【図面の簡単な説明】
【００１０】
【図１】本実施例による植物の根系採取方法の処理工程を示すフロー図
【図２】本実施例による植物の根系採取方法の処理工程を示すフロー図
【図３】本実施例による植物の根系採取方法の処理工程を示すフロー図
【図４】本実施例における透明シート作成工程で用いる透明シート作成用型板を示す写真
【図５】本実施例における植物の根系採取方法の処理工程で用いる作業台を示す写真
【図６】本実施例における植物の根系採取方法の処理工程で用いるピンボードの上面を示す写真
【図７】同ピンボードの下面を示す写真
【図８】本実施例における植物の根系採取方法の処理工程で用いるメッシュ枠を示す写真
【図９】同メッシュ枠をピンボードに敷設した状態を示す写真
【図１０】本実施例におけるピンボードへの透明シート装着工程で用いるシート押さえ込み板の下面を示す写真
【図１１】同シート押さえ込み板の上面を示す写真
【図１２】本実施例における根箱とピンボードとの固定工程で用いるサポート金具を示す写真
【図１３】本実施例における洗浄工程で用いる洗浄台を示す写真
【図１４】本実施例における透明シート押し出し工程で用いる脱離用押し出し金具を示す写真
【図１５】同脱離用押し出し金具の使用状態を説明する写真
【図１６】本実施例における第１透明シート載置工程を示す写真
【図１７】本実施例における第１透明シート装着工程を示す写真
【図１８】本実施例におけるピンボード押し込み工程を示す写真
【図１９】同ピンボード押し込み工程を示す写真
【図２０】本実施例における根箱本体除去工程を示す写真
【図２１】本実施例における洗浄工程を示す写真
【図２２】本実施例における透明シート押し出し工程を示す写真
【図２３】同透明シート押し出し工程後に平板上に残った２枚の透明シートとメッシュ枠を示す写真
【図２４】非特許文献１で提案されている、根箱、ピンボード、及び透明シートを示す写真
【図２５】植物体を栽培中の根箱を示す写真
【発明を実施するための形態】
【００１１】
本発明の第１の実施の形態による植物の根系採取装置は、植物体を栽培した根箱を設置する作業台を備え、作業台には、根箱の載置位置を規制する根箱固定用ガイドと、ピンボードの載置位置を規制するガイド棒とを形成し、ピンボードには、ガイド棒に対応するピンボードガイド孔を形成したものである。本実施の形態によれば、根箱を設置する作業台に、根箱固定用ガイドとガイド棒とを形成しているため、根箱にピンボードの針を差し込む際に、正確なセッティングを容易に行え、サンプル間でのばらつきを無くすことができる。
【００１２】
本発明の第２の実施の形態は、第１の実施の形態による植物の根系採取装置において、透明シートをピンボードに装着するシート押さえ込み板を備え、シート押さえ込み板には、透明シートを針の根本まで押圧する押圧部と、ガイド棒に対応する押さえ込み板ガイド孔とを形成したものである。本実施の形態によれば、ガイド棒を用いてシート押さえ込み板の位置決めができ、押圧部によって均等に透明シートを押圧できるので、透明シートのピンボードへの装着を迅速で正確に行える。
【００１３】
本発明の第３の実施の形態は、第１の実施の形態による植物の根系採取装置において、ピンボードに敷設するメッシュ枠と、メッシュ枠を敷設した状態でピンボードに装着する一方の透明シートと、一方の透明シート上に、根を載置した状態でピンボードに装着する他方の透明シートと、根を２枚の透明シートの間に挟み込んだ状態で、メッシュ枠をピンボードから押し出すことで、根を挟み込んだ２枚の透明シートをピンボードから脱離させる脱離用押し出し金具とを備え、脱離用押し出し金具には、メッシュ枠を押圧する複数の凸部を形成し、ピンボードには、凸部が通過する開口部を形成したものである。本実施の形態によれば、メッシュ枠をあらかじめ敷設しておき、このメッシュ枠を脱離用押し出し金具で押圧するため、根系形状を崩すことなく、透明シートをピンボードから容易に脱離することができる。
【００１４】
本発明の第４の実施の形態は、第２の実施の形態による植物の根系採取装置において、透明シートを装着したピンボードと根箱とを固定するサポート金具を備え、作業台には、根箱を設置した状態で、根箱が露出する切り込み部を形成し、切り込み部の位置で、サポート金具を根箱に装着するものである。本実施の形態によれば、作業台に根箱本体を設置した状態で、切り込み部を利用してサポート金具でピンボードと根箱本体とを固定できるため、根箱とピンボードとを容易に移動でき、例えば土壌を除去するための移動を容易に行える。
【００１５】
本発明の第５の実施の形態は、第２から第４のいずれかの実施の形態による植物の根系採取装置において、孔を形成していない透明シートを用い、ピンボードへの装着によって透明シートに孔が形成されるものである。本実施の形態によれば、透明シートへの孔開け作業を不要にでき、また、ピンボードへの装着を容易に行える。
【００１６】
本発明の第６の実施の形態による植物の根系採取方法は、作業台に針を上方としてピンボードを設置するピンボード設置工程と、ピンボード設置工程の後に、ピンボードの一方の面にメッシュ枠を敷設するメッシュ枠敷設工程と、メッシュ枠敷設工程の後に、一方の透明シートを針の上部に載置する第１透明シート載置工程と、第１透明シート載置工程の後に、シート押さえ込み板によって一方の透明シートを針の根本まで押さえ込む第１透明シート装着工程と、第１透明シート装着工程の後に、ピンボードを、メッシュ枠及び一方の透明シートとともに作業台から取り外すピンボード取り外し工程とを備えたものである。本実施の形態によれば、一方の透明シートを装着したピンボードの針を根箱本体中の土壌に差し込むまでの工程を容易に正確に行うことができる。特に本実施の形態によれば、透明シートへの孔開け作業を事前に行う必要が無く、またピンボードへの一方の透明シートの装着を容易に行うことができる。
【００１７】
本発明の第７の実施の形態は、第６の実施の形態による植物の根系採取方法において、ピンボード取り外し工程の後に、植物体を栽培した根箱を作業台に設置する根箱設置工程と、根箱から蓋体を取り外す蓋体取り外し工程と、根箱設置工程及び蓋体取り外し工程の後に、一方の透明シートを装着したピンボードの針を根箱本体中の土壌に差し込むピンボード押し込み工程と、ピンボード押し込み工程の後に、根箱本体とピンボードとをサポート金具で挟み込んで固定する固定工程と、固定工程の後に、根箱本体とピンボードとを洗浄台まで移動する移動工程と、洗浄台に移動した後に、ピンボード上に植物体の根を土壌とともに載置した状態でサポート金具と根箱本体とを取り外す根箱本体除去工程と、根箱本体除去工程の後に、ピンボード上から土壌を除去する洗浄工程とを備えたものである。本実施の形態によれば、ピンボードの針を根箱本体中の土壌に差し込む工程から土壌の除去までの工程を容易に正確に行うことができる。特に本実施の形態によれば、洗浄台への移動と洗浄台での洗浄を容易に行える。
【００１８】
本発明の第８の実施の形態は、第７の実施の形態による植物の根系採取方法において、洗浄工程の後に、作業台に針を上方としてピンボードを設置し、他方の透明シートを針の上部に載置する第２透明シート載置工程と、第２透明シート載置工程の後に、シート押さえ込み板によって他方の透明シートを針の根本まで押さえ込む第２透明シート装着工程と、第２透明シート装着工程の後に、ピンボードを、メッシュ枠及び２枚の透明シートとともに作業台から取り外す透明シート移動工程と透明シート移動工程の後に、根を２枚の透明シートの間に挟み込んだ状態で、脱離用押し出し金具によってメッシュ枠をピンボードから押し出すことで、根を挟み込んだ２枚の透明シートをピンボードから脱離させる透明シート押し出し工程とを備えたものである。本実施の形態によれば、土壌を除去した後から２枚の透明シートをピンボードから脱離させる工程までを容易に正確に行うことができる。特に本実施の形態によれば、透明シートへの孔開け作業を事前に行う必要が無く、またピンボードへの他方の透明シートの装着を容易に行え、更に２枚の透明シートのピンボードからの脱離を容易に行うことができる。
【実施例】
【００１９】
以下本発明の一実施例による植物の根系採取方法について説明する。
図１から図３は本実施例による植物の根系採取方法の処理工程を示すフロー図である。
まず、２枚の透明シート３０を作成する（ステップ１）。
ステップ１による透明シート作成工程の後に、作業台４０を設置する（ステップ２）。
ステップ２による作業台設置工程の後に、作業台４０に針２２を上方としてピンボード２０を設置する（ステップ３）。
ステップ３によるピンボード設置工程の後に、ピンボード２０の一方の面２１にメッシュ枠５０を敷設する（ステップ４）。なお、ピンボード２０の一方の面２１は、針２２を突出させた面である。
ステップ４によるメッシュ枠敷設工程の後に、一方の透明シート３０Ａを針２２の上部に載置する（ステップ５）。
ステップ５による第１透明シート載置工程の後に、シート押さえ込み板６０によって一方の透明シート３０Ａを針２２の根本まで押さえ込む（ステップ６）。第１透明シート装着工程によって、一方の透明シート３０Ａは、メッシュ枠５０の上面に位置する。
ステップ６による第１透明シート装着工程の後に、ピンボード２０を、メッシュ枠５０及び一方の透明シート３０Ａとともに作業台４０から取り外す（ステップ７）。
本実施例によれば、ステップ７によるピンボード取り外し工程までによって、透明シート３０Ａへの孔開け作業を事前に行う必要が無く、またピンボード２０への一方の透明シート３０Ａの装着を容易に行うことができる。
【００２０】
ステップ７によるピンボード取り外し工程の後に、植物体を栽培した根箱１０を作業台４０に設置する（ステップ８）。
ステップ８による根箱設置工程の後に、根箱１０から蓋体１１を取り外す（ステップ９）。なお、蓋体取り外し工程は、ステップ８による根箱設置工程の前に行ってもよい。
ステップ９による蓋体取り外し工程の後に、一方の透明シート３０Ａを装着したピンボード２０の針２２を根箱本体１２中の土壌に差し込む（ステップ１０）。
ステップ１０によるピンボード押し込み工程の後に、根箱本体１２とピンボード２０とをサポート金具７０で挟み込んで固定する（ステップ１１）。
ステップ１１による固定工程の後に、サポート金具７０で固定した根箱本体１２とピンボード２０とを洗浄台８０まで移動する（ステップ１２）。
ステップ１２による移動工程によって、サポート金具７０で固定した根箱本体１２とピンボード２０とを洗浄台８０に載置する（ステップ１３）。
ステップ１３による洗浄台載置工程の後に、ピンボード２０上に植物体の根を土壌とともに載置した状態でサポート金具７０と根箱本体１２とを取り外す（ステップ１４）
ステップ１４による根箱本体除去工程の後に、ピンボード２０上から土壌を除去する（ステップ１５）。土壌の除去は洗浄によって行う。
本実施例によれば、ステップ８による根箱設置工程の後からステップ１５による洗浄工程までによって、洗浄台８０への移動と洗浄台８０での洗浄を容易に行える。
【００２１】
ステップ１５による洗浄工程の後に、土壌を除去したピンボード２０を作業台４０に針２２を上方として設置する（ステップ１６）。
ステップ１６によるピンボード設置工程の後に、他方の透明シート３０Ｂを針２２の上部に載置する（ステップ１７）。
ステップ１７による第２透明シート載置工程の後に、シート押さえ込み板６０によって他方の透明シート３０Ｂを針２２の根本まで押さえ込む（ステップ１８）。第２透明シート装着工程によって、透明シート３０Ｂは植物体の根の上面に位置する。
ステップ１８による第２透明シート装着工程の後に、ピンボード２０を、メッシュ枠５０及び２枚の透明シート３０Ａ、３０Ｂとともに作業台４０から取り外し平板１００上に載置する（ステップ１９）。平板１００上には、根を２枚の透明シート３０Ａ、３０Ｂの間に挟み込んだ状態で、ピンボード２０が上方になるように載置する。
ステップ１９による透明シート移動工程の後に、脱離用押し出し金具９０をピンボード２０の上部に配置する（ステップ２０）。
ステップ２０による透明シート押し出し準備工程の後に、脱離用押し出し金具９０によってメッシュ枠５０をピンボード２０から押し出すことで、根を挟み込んだ２枚の透明シート３０Ａ、３０Ｂをピンボード２０から脱離させる（ステップ２１）。
ステップ２１による透明シート押し出し工程の後にメッシュ枠５０を取り除き、根系採取が終了し、平板１００上には根を挟み込んだ２枚の透明シート３０Ａ、３０Ｂが残る（ステップ２２）。
本実施例によれば、ステップ１６によるピンボード設置工程の後からステップ２２による根系採取終了までによって、透明シート３０Ｂへの孔開け作業を事前に行う必要が無く、またピンボード２０への他方の透明シート３０Ｂの装着を容易に行え、更に２枚の透明シート３０Ａ、３０Ｂのピンボード２０からの脱離を容易に行うことができる。
【００２２】
以下本発明の一実施例による植物の根系採取装置について説明する。
図４は本実施例における透明シート作成工程で用いる透明シート作成用型板を示す写真である。
透明シート作成用型板３５は、上金板３５Ａと下金板３５Ｂとからなり、上金板３５Ａの幅は、用いる透明シート３０の幅と同じとし、下金板３５Ｂの幅は上金板３５Ａの幅より広く形成している。
透明シート３０には、市販の薄いポリ袋３６を用いることができる。
下金板３５Ｂにポリ袋３６を載せ、上金板３５Ａでポリ袋３６挟み、上金板３５Ａの側片に沿って、ポリ袋３６の長手方向を切り落とすことによって、折りたたまれた状態の２枚のポリエチレンシート（透明シート）３０を得ることができる。
透明シート作成用型板３５を用いることで一度に１００組の透明シート３０を作成できる。
【００２３】
図５は本実施例における植物の根系採取方法の処理工程で用いる作業台を示す写真である。
作業台４０には、根箱１０の載置位置を規制する根箱固定用ガイド４１と、ピンボード２０の載置位置を規制するガイド棒４２と、根箱１０を設置した状態で根箱１０が露出する第１切り込み部４３と、ピンボード２０を設置した状態でピンボード２０が露出する第２切り込み部４４とを形成している。
根箱固定用ガイド４１は、根箱本体１２の一方の幅にあわせたガイド４１ａ、４１ｂと、根箱本体１２の他方の幅にあわせたガイド４１ｃ、４１ｄ、４１ｅ、４１ｆとからなる。
ガイド棒４２は、根箱１０の載置面とならない位置に配置した４本のガイド棒４２ａ、４２ｂ、４２ｃ、４２ｄからなる。ガイド棒４２には、根箱１０の載置面から所定高さの高さ規制部４２ｈを形成している。本実施例では、高さ規制部４２ｈは大径部で形成している。ステップ３におけるピンボード設置工程では、ピンボード２０は、高さ規制部４２ｈの上面に設置される。
第１切り込み部４３は、ガイド４１ｃとガイド４１ｄとの間に形成される第１切り込み部４３ａと、ガイド４１ｅとガイド４１ｆとの間に形成される第１切り込み部４３ｂとからなる。
第２切り込み部４４は、ガイド棒４２ａとガイド棒４２ｂとの間に形成される第２切り込み部４４ａと、ガイド棒４２ｃとガイド棒４２ｄとの間に形成される第２切り込み部４４ｂとからなる。
【００２４】
図６は本実施例における植物の根系採取方法の処理工程で用いるピンボードの上面を示す写真、図７は同ピンボードの下面を示す写真である。
ピンボード２０の一方の面２１ｆには多数の針２２を有する。ピンボード２０には、ガイド棒４２に対応する位置に４つのピンボードガイド孔２３を形成している。ピンボードガイド孔２３は、ガイド棒４２の外径よりも大きく、高さ規制部４２ｈの外径よりも小さな孔径である。
ピンボード２０の他方の面２１ｂには、断面Ｌ字型のＬ字アングルで形成されたピンボード操作部２４を有する。
ピンボード２０の少なくとも一方の側部には、２つのピンボードガイド孔２３の間にピンボード切り込み部２５を形成している。
ピンボード２０の針２２を形成した位置には、針２２の間に多数の開口部２６を形成している。
【００２５】
図８は本実施例における植物の根系採取方法の処理工程で用いるメッシュ枠を示す写真、図９は同メッシュ枠をピンボードに敷設した状態を示す写真である。
メッシュ枠５０は、多数の縦桟と横桟とを格子状に配置している。ピンボード２０の針２２形成領域より大きな外形が好ましい。
図９に示すように、メッシュ枠５０は、ピンボード２０に敷設した状態では、一方の面２１ｆに当接する。
【００２６】
図１０は本実施例におけるピンボードへの透明シート装着工程で用いるシート押さえ込み板の下面を示す写真、図１１は同シート押さえ込み板の上面を示す写真である。
シート押さえ込み板６０の一方の面６０ｂには、透明シート３０Ａ、３０Ｂを針２２の根本まで押圧する押圧部６１を形成している。押圧部６１は、例えば発泡ウレタンで形成する。押圧部６１は、針２２を容易に刺すことができるが、針２２の間は、変形することなく透明シート３０Ａ、３０Ｂを押圧する。
押さえ込み板ガイド孔６２は、ガイド棒４２に対応する位置に４つ形成されている。押さえ込み板ガイド孔６２は、ガイド棒４２の外径よりも大きな径で形成されている。
シート押さえ込み板６０の他方の面６０ａには、シート押さえ操作部６３を有する。また、シート押さえ込み板６０の他方の面６０ａには、押圧部６１の形成領域を表示する押圧領域表示部６４を形成している。
【００２７】
図１２は本実施例における根箱とピンボードとの固定工程で用いるサポート金具を示す写真である。図１２では、ピンボード２０をメッシュ枠５０とともに作業台４０に設置した状態を示しているが、根箱１０は省略している。
一対のサポート金具７０は、ピンボード２０に当接するピンボード側当接片７１と、根箱本体１２に当接する根箱側当接片７２とを有し、メッシュ枠５０及び透明シート３０Ａを装着した状態で、ピンボード２０と根箱本体１２とを固定する。
図示のように、一対のサポート金具７０の幅を、第１切り込み部４３の幅より狭く構成することで、作業台４０での固定作業を容易に行える。
【００２８】
図１３は本実施例における洗浄工程で用いる洗浄台を示す写真である。
洗浄台８０は、ピンボード２０を載置する載置材８１と、載置材８１を支える脚部材８２と、載置材８１の角度を変更する角度変更部材８３と、ピンボードガイド孔２３に挿通可能な洗浄ガイド棒８４とを有している。
角度変更部材８３は、第１部材８３ａと第２部材８３ｂとを有し、第１部材８３ａの一端及び第２部材８３ｂの一端は、それぞれ異なる位置で脚部材８２に回動自在に取り付けている。第１部材８３ａの他端側と第２部材８３ｂの他端側は、ピン８３ｃで連結され、ピン８３ｃの第１部材８３ａ又は第２部材８３ｂでの位置を変更することで、第１部材８３ａの脚部材８２に対する傾斜角を変更できる。なお、ピン８３ｃを取り外すことで、第１部材８３ａ及び第２部材８３ｂを脚部材８２と平行にして折りたたむことができる。
載置材８１は第１部材８３ａに取り付けられている。洗浄ガイド棒８４は載置材８１の上部に配置されている。
洗浄台８０は、洗浄ガイド棒８４を用いてピンボード２０を載置できるため、安定した洗浄作業ができる。また、ピン８３ｃを取り外して折りたたむことができるため、屋外への持ち運びや収納も容易である。また、洗浄台８０のピン８３ｃの位置を差し換えることで、任意の角度でピンボード２０の洗浄作業が行える。
【００２９】
図１４は本実施例における透明シート押し出し工程で用いる脱離用押し出し金具を示す写真、図１５は同脱離用押し出し金具の使用状態を説明する写真である。
図１４に示すように、脱離用押し出し金具９０には、メッシュ枠５０を押圧する複数の凸部９１を形成している。
凸部９１は、図１５に示すピンボード２０の開口部２６に挿入できる棒状体であり、それぞれの凸部９１は、ピンボード２０の開口部２６の位置に対応している。
また、図１５に示すように、ピンボード２０にメッシュ枠５０を敷設した状態では、ピンボード２０の開口部２６には、メッシュ枠５０の縦桟又は横桟が位置する。
従って、脱離用押し出し金具９０は、凸部９１によってメッシュ枠５０をピンボード２０から押し出すことで、根を挟み込んだ２枚の透明シート３０Ａ、３０Ｂをピンボード２０から脱離させることができる。
【００３０】
図１６は第１透明シート載置工程を示す写真、図１７は第１透明シート装着工程を示す写真である。
第１透明シート載置工程では、作業台４０には、ピンボード２０が設置され、ピンボード２０にはメッシュ枠５０が敷設されている。ピンボード２０は、ピンボードガイド孔２３にガイド棒４２を挿入することで、作業台４０に設置している。
図１６では、ピンボード２０の針２２の上面に透明シート３０Ａを載置している。透明シート３０Ａには孔が形成されていない。
シート押さえ込み板６０は、押さえ込み板ガイド孔６２にガイド棒４２を挿入することで、作業台４０に対して位置決めされる。
図１７では、押さえ込み板ガイド孔６２にガイド棒４２を挿入した後に、押圧領域表示部６４で表示された押圧部６１の形成領域を押圧する。
【００３１】
図１８及び図１９はピンボード押し込み工程を示す写真である。
作業台４０に設置している根箱１０は、蓋体１１を取り外した状態にある。根箱本体１２の４つの側面は、根箱固定用ガイド４１に当接している。
ピンボード２０は、針２２を下面とし、ピンボードガイド孔２３にガイド棒４２を挿入することで位置決めされる。
【００３２】
図２０は根箱本体除去工程を示す写真、図２１は洗浄工程を示す写真である。
図２０では、洗浄台８０に設置しているピンボード２０から根箱本体１２を取り外している状態を示している。根箱本体１２を下方にずらすことで、土壌と植物体の根をピンボード２０上に残した状態で、根箱本体１２を除去する。
図２１は、土壌を洗浄している状態である。
【００３３】
図２２は透明シート押し出し工程を示す写真、図２３は透明シート押し出し工程後に平板上に残った２枚の透明シートとメッシュ枠を示す写真である。
【００３４】
本実施例による植物の根系採取装置は、根箱１０を設置する作業台４０に、根箱固定用ガイド４１とガイド棒４２とを形成しているため、根箱１０にピンボード２０の針２２を差し込む際に、正確なセッティングを容易に行え、サンプル間でのばらつきを無くすことができる。
また本実施例による植物の根系採取装置は、透明シート３０をピンボード２０に装着するシート押さえ込み板６０を備えている。そして、シート押さえ込み板６０には、透明シート３０を針２２の根本まで押圧する押圧部６１と、ガイド棒４２に対応する押さえ込み板ガイド孔６２とを形成している。従って、ガイド棒４２を用いてシート押さえ込み板６０の位置決めができ、押圧部６１によって均等に透明シート３０を押圧できるので、透明シート３０のピンボード２０への装着を迅速で正確に行える。
また本実施例による植物の根系採取装置は、メッシュ枠５０をあらかじめ敷設しておき、このメッシュ枠５０を脱離用押し出し金具９０で押圧するため、根系形状を崩すことなく、透明シート３０をピンボード２０から容易に脱離することができる。
また本実施例による植物の根系採取装置は、一方の透明シート３０Ａを装着したピンボード２０と根箱本体１２とを固定するサポート金具７０を備え、作業台４０には、根箱本体１２を設置した状態で、根箱本体１２が露出する切り込み部４３、４４を形成し、切り込み部４３、４４で、サポート金具７０を根箱本体１２に装着する。従って、作業台４０に根箱本体１２を設置した状態で、切り込み部４３、４４を利用してサポート金具７０でピンボード２０と根箱本体１２とを固定できるため、根箱１０とピンボード２０とを容易に移動でき、例えば土壌を除去するための移動を容易に行える。
また本実施例による植物の根系採取装置は、孔を形成していない透明シート３０を用い、ピンボード２０への装着によって透明シート３０に孔が形成される。従って、透明シート３０への孔開け作業を不要にでき、また、ピンボード２０への装着を容易に行える。
【産業上の利用可能性】
【００３５】
本発明は、既に根箱・ピンボード法を用いている多くの研究機関おける実験器具として有効である。
【符号の説明】
【００３６】
１０  根箱
１１  蓋体
１２  根箱本体
２０  ピンボード
２２  針
２３  ピンボードガイド孔
３０Ａ  透明シート
３０Ｂ  透明シート
４０  作業台
４１  根箱固定用ガイド
４２  ガイド棒
４３  第１切り込み部
５０  メッシュ枠
６０  シート押さえ込み板
６１  押圧部
６２  押さえ込み板ガイド孔
７０  サポート金具
８０  洗浄台
９０  脱離用押し出し金具
【図１】
2018042574.tif 000003
【図２】
2018042574.tif 000004
【図３】
2018042574.tif 000005
【図４】
2018042574.tif 000006
【図５】
2018042574.tif 000007
【図６】
2018042574.tif 000008
【図７】
2018042574.tif 000009
【図８】
2018042574.tif 000010
【図９】
2018042574.tif 000011
【図１０】
2018042574.tif 000012
【図１１】
2018042574.tif 000013
【図１２】
2018042574.tif 000014
【図１３】
2018042574.tif 000015
【図１４】
2018042574.tif 000016
【図１５】
2018042574.tif 000017
【図１６】
2018042574.tif 000018
【図１７】
2018042574.tif 000019
【図１８】
2018042574.tif 000020
【図１９】
2018042574.tif 000021
【図２０】
2018042574.tif 000022
【図２１】
2018042574.tif 000023
【図２２】
2018042574.tif 000024
【図２３】
2018042574.tif 000025
【図２４】
2018042574.tif 000026
【図２５】
2018042574.tif 000027